(57)【要約】【課題】長手方向に沿って開放端が形成された長尺の包装シートの該開放端から薬剤を投入する薬剤投入部にて薬剤を投入するにあたり前記包装シートを殺菌することができる薬剤包装装置及び薬剤分包装置を提供する。【解決手段】長手方向に沿って開放端が形成された長尺の包装シートＰ１，Ｐ２の該開放端から薬剤を投入する薬剤投入部２０と、シール装置３Ａ，３Ｂと、搬送装置４０とを具備し、薬剤投入部２０よりシート搬送方向Ｘ上流側に、殺菌用の紫外線Ｓを出射する紫外線ランプ５１〜５３が設けられており、ランプ５１〜５３により、前記開放端から薬剤投入部２０にて薬剤が投入される包装シートＰ１，Ｐ２の内面に紫外線５１〜５３を照射する。【選択図】  図３
2004291976.tif 000002
【特許請求の範囲】
【請求項１】
長手方向に沿って開放端が形成された長尺の包装シートの該開放端から薬剤を投入する薬剤投入部と、前記薬剤投入部により薬剤が投入された前記包装シートをシールして個々に区画された包装体を形成するシール装置と、前記包装シートをシート長手方向に沿って搬送する搬送装置とを具備する薬剤包装装置において、
前記薬剤投入部よりシート搬送方向上流側に、殺菌用の紫外線を出射する紫外線ランプが少なくとも一つ設けられており、前記紫外線ランプにより、前記開放端から前記薬剤投入部にて薬剤が投入される前記包装シートの内面に殺菌用の紫外線を照射することを特徴とする薬剤包装装置。
【請求項２】
前記紫外線ランプのうち少なくとも一つは、前記開放端が形成された前記包装シートの内側に配設され、該シート内側から該シート内面に殺菌用の紫外線を照射する請求項１記載の薬剤包装装置。
【請求項３】
前記包装シートの内側に配設される前記紫外線ランプを支持するランプ固定部材をさらに備えており、
前記薬剤投入部は、薬剤を前記包装シートに導く薬剤投入ホッパーを備えており、
前記ランプ固定部材は、前記ホッパーの前記包装シートが搬送される領域の幅より幅広のもので、前記ホッパーの前記包装シートが搬送される領域に面して前記ホッパーよりシート搬送方向上流側近傍に配設されており、
前記包装シートの内側に配設される前記紫外線ランプが、前記ランプ固定部材の前記ホッパーとの対向面とは反対側の面に支持されている請求項２記載の薬剤包装装置。
【請求項４】
前記紫外線ランプを、前記シール装置駆動中のみ点灯するように構成した請求項１から３のいずれかに記載の薬剤包装装置。
【請求項５】
請求項１から４のいずれかに記載の薬剤包装装置を備えたことを特徴とする薬剤分包装置。
【発明の詳細な説明】
【０００１】
【発明の属する技術分野】
本発明は、薬剤包装装置及びそれを備えた薬剤分包装置に関する。
【０００２】
【従来の技術】
薬剤分包装置は、例えば、薬剤分配供給装置と薬剤包装装置とを備えており、薬剤分配供給装置から処方箋に対応する薬剤を薬剤包装装置に選択的に供給し、薬剤包装装置に供給された薬剤を該薬剤包装装置にて１分包ずつ自動的に包装する。
【０００３】
従来、薬剤を包装する薬剤包装装置として、例えば、長手方向に沿って開放端が形成された長尺の包装シートの該開放端から薬剤を投入する薬剤投入部と、前記薬剤投入部により薬剤が投入された前記包装シートをシールして個々に区画された包装体を形成するシール装置と、前記包装シートをシート長手方向に沿って搬送する搬送装置とが設けられ、搬送装置にてシート長手方向に沿って搬送される包装シートに該シートの長手方向に沿って形成された開放端から薬剤投入部にて薬剤を投入し、この薬剤が投入された包装シートをシール装置にてシールすることにより、該薬剤を包装するものが用いられている。
【０００４】
【発明が解決しようとする課題】
このような薬剤分包装置においては、シール装置の周辺が、通常、フロントパネル（カバー）で覆われているが、分包シートの交換時やさまざまなメンテナンス作業時に開閉されることがある。また、ユーザーによっては、フロントパネルが取り外されていることもある。このような状況では、分包シートは必ずしも衛生的ではなく、かかる衛生上の観点から、前記薬剤投入部にて薬剤を投入するにあたって前記包装シートを殺菌することが要求されている。
【０００５】
そこで、本発明は、長手方向に沿って開放端が形成された長尺の包装シートの該開放端から薬剤を投入する薬剤投入部と、前記薬剤投入部により薬剤が投入された前記包装シートをシールして個々に区画された包装体を形成するシール装置と、前記包装シートをシート長手方向に沿って搬送する搬送装置とを具備する薬剤包装装置及び薬剤分包装置であって、前記薬剤投入部にて薬剤を投入するにあたり前記包装シートを殺菌することができる薬剤包装装置及び薬剤分包装置を提供することを課題とする。
【０００６】
【課題を解決するための手段】
本発明は、前記課題を解決するため、長手方向に沿って開放端が形成された長尺の包装シートの該開放端から薬剤を投入する薬剤投入部と、前記薬剤投入部により薬剤が投入された前記包装シートをシールして個々に区画された包装体を形成するシール装置と、前記包装シートをシート長手方向に沿って搬送する搬送装置とを具備する薬剤包装装置において、前記薬剤投入部よりシート搬送方向上流側に、殺菌用の紫外線を出射する紫外線ランプが少なくとも一つ設けられており、前記紫外線ランプにより、前記開放端から前記薬剤投入部にて薬剤が投入される前記包装シートの内面に殺菌用の紫外線を照射することを特徴とする薬剤包装装置を提供する。
【０００７】
本発明はまた、前記本発明に係る薬剤包装装置を備えたことを特徴とする薬剤分包装置も提供する。
【０００８】
本発明に係る薬剤包装装置及び薬剤分包装置では、長手方向に沿って開放端が形成された前記長尺の包装シートが前記搬送装置にてシート長手方向に沿って搬送され、前記薬剤投入部よりシート搬送方向上流側に設けられた前記少なくとも一つの紫外線ランプにより、前記開放端から前記薬剤投入部にて薬剤が投入される前記包装シートの内面に殺菌用の紫外線が照射される。そして、紫外線が照射された前記包装シートは前記開放端から前記薬剤投入部にて薬剤が投入され、前記シール装置にてシールされて個々に区画された包装体が形成される。
【０００９】
このように本発明に係る薬剤包装装置及び薬剤分包装置によると、前記薬剤投入部よりシート搬送方向上流側に設けられた前記紫外線ランプにより、前記開放端から前記薬剤投入部にて薬剤が投入される前記包装シートの内面に殺菌用の紫外線が照射されるので、前記薬剤投入部にて薬剤を投入するにあたり前記包装シートを殺菌することができる。
【００１０】
前記紫外線ランプとしては、前記開放端から前記薬剤投入部にて薬剤が投入される前記包装シートの内面に殺菌用の紫外線を照射することができるものであれば、いずれのものを用いてもよいが、光源から出射される紫外線の指向性を考慮すると、光源が平面状に形成された平面型の紫外線殺菌用ランプを用いることが望ましい。
【００１１】
前記殺菌用の紫外線の波長としては、紫外線波長域（例えば１００ｎｍ程度〜３８０ｎｍ程度）の波長域のうち、前記包装シートを良好に殺菌できる程度の波長であれば、いずれの波長を採用してもよい。このうち殺菌作用が比較的強い波長としては、２５３．７ｎｍ程度を例示できる。
【００１２】
本発明に係る薬剤包装装置及び薬剤分包装置において、前記長尺の包装シートが、長手方向に沿って開放端を形成している態様として、次の場合を挙げることができる。
（ａ）長尺のシートが長手方向に沿って二つ折りにされた前記長尺の包装シートが、長手方向に沿って開放端を形成している場合。
（ｂ）無折り状態の長尺のシートが搬送経路中で長手方向に沿って二つ折りにされて前記長尺の包装シートが形成され、該二つ折りにされた長尺の包装シートが、長手方向に沿って開放端を形成している場合。
（ｃ）無折り状態の一対の長尺シートが搬送経路中で長手方向に沿ってそれぞれの一方の面が互いに対向するように重ね合わされ、該重ね合わされたシートの短手方向一端部が長手方向に沿ってシールされて前記長尺の包装シートが形成され、該重ね合わされ、シールされた長尺の包装シートが、長手方向に沿って開放端を形成している場合。
【００１３】
いずれにしても前記紫外線ランプのうち少なくとも一つは、前記包装シートに薬剤が投入される領域近傍に配設され、該シートの内面に殺菌用の紫外線を照射する場合、さらに具体的には、前記開放端が形成された前記包装シートの内側に配設され、該シート内側から該シート内面に殺菌用の紫外線を照射する場合を例示できる。この場合、例えば、前記包装シートの内側に配設される前記紫外線ランプを支持するランプ固定部材をさらに備えており、前記薬剤投入部は、薬剤を前記包装シートに導く薬剤投入ホッパーを備えており、前記ランプ固定部材は、前記ホッパーの前記包装シートが搬送される領域の幅より幅広のもので、前記ホッパーの前記包装シートが搬送される領域に面して前記ホッパーよりシート搬送方向上流側近傍に配設されており、さらに、前記包装シートの内側に配設される前記紫外線ランプが、前記ランプ固定部材の前記ホッパーとの対向面とは反対側の面に支持されていてもよい。このような構成では、前記ランプ固定部材が前記ホッパーの前記包装シートが搬送される領域に面して前記ホッパーよりシート搬送方向上流側近傍に配設されているので、該紫外線ランプを前記開放端が形成された前記包装シートの内側に固定することができ、且つ、該紫外線ランプから前記ランプ固定部材よりシート搬送方向上流側に殺菌用の紫外線を照射する一方、前記包装シートに投入される薬剤に紫外線を浴びせないようにすることができる。さらに、前記ランプ固定部材は前記ホッパーの前記包装シートが搬送される領域の幅より幅広であるので、この幅広のランプ固定部材によって前記包装シートの前記開放端を開くことができるとともに、前記ホッパーに前記包装シートを触れさせないようにすることができる。例えば、前記ホッパーに残ることがある薬剤を落下させるために該ホッパーを振動させる残薬処理を行うことがある。この場合、前記のような構成によれば、前記ホッパーに前記包装シートを触れさせないようにすることができるので、前記の残薬処理を行っても、搬送される前記包装シートが蛇行するといったシート流れに対する影響を十分抑制することができる。
【００１４】
また、前記（ｂ）の場合では、前記紫外線ランプのうち少なくとも一つが、無折り状態のシートが搬送経路中で二つ折りにされる領域近傍に配設され、前記無折り状態のシートの、前記包装シートの内面となるべき面に殺菌用の紫外線を照射してもよいし、前記（ｃ）の場合では、前記紫外線ランプのうち少なくとも一つが、無折り状態の一対のシートが搬送経路中で重ね合わされる領域近傍に配設され、前記無折り状態のシートの、前記包装シートの内面となるべき面に殺菌用の紫外線を照射してもよい。さらに、前記（ｂ）及び（ｃ）の場合では、前記紫外線ランプのうち少なくとも一つが、無折り状態のシートを覆うケース内に配設され、該ケース内で前記無折り状態のシートの、前記包装シートの内面となるべき面に殺菌用の紫外線を照射してもよい。
【００１５】
本発明に係る薬剤包装装置及び薬剤分包装置は、前記紫外線ランプを、前記シール装置駆動中のみ点灯するように構成することが望ましい。
【００１６】
【発明の実施の形態】
以下、本発明に係る実施の形態について図面を参照しながら説明する。
【００１７】
図１は本発明に係る薬剤分包装置の一例１００Ａに搭載された本発明に係る薬剤包装装置の一例Ａの概略平面図であり、図２は本発明に係る薬剤分包装置の他の例１００Ｂに搭載された本発明に係る薬剤包装装置の他の例Ｂの概略平面図である。なお、図１及び図２並びに後述する図３及び図４において同じ構成、作用を有する部品には同じ参照符号を付してある。
【００１８】
薬剤分包装置１００Ａ及び１００Ｂは、それぞれ前記の薬剤包装装置Ａ，Ｂの他、主制御部ＣＯＮＴ１及びＣＯＮＴ２並びに図示を省略した薬剤分配供給装置を備えている。前記主制御部は薬剤分包装置全体を制御するものであり、前記薬剤分配供給装置は薬剤を分配して供給するためのものである。
【００１９】
薬剤分包装置１００Ａ及び１００Ｂでは、前記の薬剤分配供給装置から処方箋に対応する散薬、錠剤、カプセル等の薬剤がそれぞれ薬剤包装装置Ａ，Ｂに選択的に供給され、該薬剤包装装置Ａ，Ｂに供給された薬剤がこの薬剤包装装置Ａ，Ｂにて包装される。
【００２０】
薬剤包装装置Ａ，Ｂは、それぞれシート収容ケース１Ａ，１Ｂ、案内部１０Ａ，１０Ｂ及びシール装置（ここではヒートシール装置）３Ａ，３Ｂを備えており、さらに薬剤投入部２０、搬送装置４０及びコンベア４２を備えている。なお、図３においてシート収容ケース１Ａは、また図３及び図４においてコンベア４２は、図示を省略してある。
【００２１】
この薬剤包装装置Ａ，Ｂでは、シート収容ケース１Ａ，１Ｂからそれぞれ引き出され、案内部１０Ａ，１０Ｂに案内されて、後述するように長手方向に沿って開放端が形成された長尺の包装シート（ここではポリエチレン等のヒートシール可能なものからなる熱溶着性包装シート）Ｐ１，Ｐ２が、搬送装置４０にて所定方向（図中Ｘ方向）に搬送され、薬剤投入部２０にて薬剤（図示を省略）が投入され、ヒートシール装置３Ａ，３Ｂにてヒートシールされて１分包ずつ自動的に包装される。
【００２２】
図１に示すシート収容ケース１Ａは、長尺の帯状シートＰ１’（Ｐ１）が長手方向に沿って二つ折りにされた状態でロール軸Ｒにロール状に巻き回された紙管体Ｑ１を回転自在に収容するものである。この収容ケース１Ａに収容される紙管体Ｑ１の、長尺のシートＰ１’（Ｐ１）が長手方向に沿って二つ折りにされた長尺の包装シートＰ１には、長手方向に沿って開放端が形成されている。
【００２３】
図３に図１に示す薬剤包装装置Ａの要部概略斜視図を示す。案内部１０Ａは、案内バー１１，１２を備えている。なお、図１において案内バー１２は図示を省略してある。
【００２４】
案内バー１１，１２は、図３に示すように、軸線方向がシート短手方向に沿って配置されており、ロール状に巻かれたシートＰ１’（Ｐ１）を薬剤投入部２０の方に向け案内することができる。
【００２５】
薬剤包装装置Ａは、さらにランプ固定部材１４を備えている。このランプ固定部材１４は、包装シートＰ１（Ｐ１’）の長手方向に沿って形成された開放端部分と係合するものであり、後述する薬剤投入ホッパー２１の包装シートＰ１が搬送される領域の幅より幅広の正面視（正面から見て）略三角形状のものであり、ホッパー２１の包装シートＰ１が搬送される領域に面して案内バー１１よりシート搬送方向Ｘ下流側であってホッパー２１よりシート搬送方向Ｘ上流側近傍に配置されている。これにより、案内バー１１にて案内された包装シートＰ１（Ｐ１’）の長手方向に沿って形成された開放端を開くことができる。
【００２６】
図２に示すシート収容ケース１Ｂは、長尺の帯状シートＰ２’が無折り状態でロール軸Ｒにロール状に巻き回された紙管体Ｑ２を回転自在に収容するものであり、ロール軸Ｒの軸線方向がシート搬送方向Ｘに略直交し、且つ、薬剤投入方向に略直交するように配置される。また、シート収容ケース１Ｂは二つの案内バー１３，１３’を備えている。案内バー１３は、収容ケース１Ｂの出口近傍に、案内バー１３’は、案内バー１３の下方に、いずれも軸線方向がシート短手方向に沿って配置されている。これにより、紙管体Ｑ２から引き出された無折り状態のシートＰ２’を収容ケース１Ｂの出口へ導くことができる。
【００２７】
図４に図２に示す薬剤包装装置Ｂの要部概略側面図を示す。案内部１０Ｂは、ガイドバー１２’及び三角板１５を備えている。
【００２８】
ガイドバー１２’は、図４に示すように、軸線方向がシート短手方向に沿って配置されているとともに無折り状態のシートＰ２’をランプ固定部材１４の方に向け案内することができる。
【００２９】
三角板１５は、包装シートＰ２の長手方向に沿って形成された開放端部分と係合するものであり、ホッパー２１の包装シートＰ２が搬送される領域の幅より幅広の正面視（正面から見て）略三角形状のものであり、ガイドバー１２’より下方、且つ、シート搬送方向Ｘ下流側であってホッパー２１よりシート搬送方向Ｘ上流側近傍に配置されているとともに、三角形の頂点部分が無折りシートＰ２’の短手方向略中央部分に配置されている。これにより、平面状に搬送されてくる無折りシートＰ２’が三角板１５によって長手方向に沿って二つ折りにされ、長尺方向に沿って二つ折りにされた長尺の包装シートＰ２が形成される。そして、この長尺方向に沿って二つ折りにされた長尺の包装シートＰ２には、長手方向に沿って開放端が形成されている。
【００３０】
図１から図４に示す薬剤投入部２０は、前記の薬剤投入ホッパー２１を備えている。
【００３１】
ホッパー２１は、前記の図示を省略した薬剤分配供給装置から供給される所定量の薬剤を受け入れるとともに該受け入れられた薬剤を包装シートＰ１，Ｐ２に投入するものであり、薬剤を包装シートＰ１，Ｐ２へ排出する排出口２１ａを有している。このホッパー２１は、排出口２１ａが前記のランプ固定部材１４にて開かれた包装シートＰ１の開放端部内及び三角板１５にて形成された包装シートＰ２の開放端部内に入り込むように配置されており、これにより、前記所定量の薬剤が飛散することなく、包装シートＰ１，Ｐ２内に装填される。
【００３２】
図１及び図３に示すヒートシール装置３Ａは、シート短手方向シール部３１及びシート長手方向シール部３２からなる断面Ｌ字形状の一対のシール部３０を有しており、この一対のシール部３０が包装シートＰ１を間にして対向配置される。
【００３３】
シート短手方向シール部３１は、包装シートＰ１の短手方向の長さよりも若干外側まで延びており、シート短手方向に沿って配置されている。
【００３４】
シート長手方向シール部３２は、長さが包装シートＰ１に形成される１分包長さよりも若干長く形成されており、シート長手方向に沿ってシート短手方向開放端側端部に配置されている。
【００３５】
シール部３０は、いずれもヒータを備えており、該ヒータにより加熱されるとともに長尺の包装シートＰ１を挟持することで、該シートＰ１をヒートシールすることができる。これによりシートＰ１を１分包ずつ自動的に包装できる。
【００３６】
図２及び図４に示すヒートシール装置３Ｂは、一対のヒートローラ３３を有しており、この各ヒートローラ３３が包装シートＰ２を間にして対向配置される。
【００３７】
一対のヒートローラ３３は、その内部に加熱源を有したローラ対であり、図示を省略した駆動手段にて図２中矢印方向に回転駆動される。
【００３８】
この一対のヒートローラ３３は、図４に示すように、それぞれシート長手方向加熱部３３Ａ、シート短手方向加熱部３３Ｂを有している。なお、図４では一方のみ図示しているが、他方も同様である。
【００３９】
シート長手方向加熱部３３Ａは、周長が包装シートＰ２に形成される１分包長さであり、シート短手方向開放端側端部に配置されている。シート短手方向加熱部３３Ｂは、シート長手方向加熱部３３Ａの周縁部の一部に形成されており、シート短手方向に沿って配置されているとともに包装シートＰ２の短手方向の長さよりも若干外側まで延びている。そして、一対のヒートローラ３３は、前記の駆動手段にてそれぞれのシート短手方向加熱部３３Ｂが互いに対向するように同期して回転駆動されることで、包装シートＰ２を送りつつ１回転ごとに１分包ずつ封着することができる。
【００４０】
図１から図４に示す搬送装置４０は、一対の送りローラ４１を備えている。
【００４１】
一対の送りローラ４１は、図示を省略した駆動手段にて図中矢印方向に回転駆動される。これによりヒートシール装置３Ａ，３Ｂによってヒートシールされた包装シートＰ１，  Ｐ２をコンベア４２に向けて搬送することができる。
【００４２】
図１及び図２に示すコンベア４２は、二組の３個のローラ４２１の各３個のローラ４２１にそれぞれベルト４２２が巻き掛けられたものである。各ローラ４２１は図示を省略した駆動手段にて図中矢印方向に回転駆動され、ベルト４２２の包装シートＰ１，  Ｐ２に対向する側の表面がシート搬送方向Ｘに移動される。これにより搬送装置４０によって搬送されてくる包装シートＰ１，  Ｐ２を、図示を省略したシート収容部に送ることができる。
【００４３】
図１から図４に示す薬剤包装装置Ａ，Ｂはさらに、紫外線ランプを少なくとも一つ備えている。ここでは、図１及び図３に示す薬剤包装装置Ａは、紫外線ランプ５１を備えており、図２及び図４に示す薬剤包装装置Ｂは、紫外線ランプ５２，５３を備えている。紫外線ランプ５１は、前記の主制御部ＣＯＮＴ１に接続されており、紫外線ランプ５２，５３は、前記の主制御部ＣＯＮＴ２に接続されており、いずれも殺菌用の紫外線Ｓを出射するもので、ここでは光源が平面状に形成された平面型のものである。なお、主制御部ＣＯＮＴ１は紫外線ランプ５１を、主制御部ＣＯＮＴ２は紫外線ランプ５２，５３を、ここでは、それぞれヒートシール装置３Ａ，３Ｂ駆動動作がスタートしてからこのシール駆動動作が終了するまでの間のみ点灯するように、薬剤分包装置１００Ａ，１００Ｂを制御する。
【００４４】
図１及び図３に示す紫外線ランプ５１は、薬剤投入部２０よりシート搬送方向Ｘ上流側であって薬剤が投入される領域近傍に配設されている。ここでは、ランプ固定部材１４のホッパー２１との対向面とは反対側の面に固定されている。これにより、包装シートＰ１の内面に殺菌用の紫外線Ｓを照射することができる。さらに言えば、前記開放端が形成された包装シートＰ１の内側から該シートＰ１内面に殺菌用の紫外線Ｓを照射することができる。
【００４５】
図２及び図４に示す紫外線ランプ５２，５３のうち、紫外線ランプ５２は、無折り状態のシートＰ２’が搬送経路中で二つ折りにされる領域近傍に配設されている。ここでは、一対のガイドバー１２’よりシート搬送方向Ｘ上流側に配置されているとともに紫外線出射面が包装シートＰ２’の三角板１５にて二つ折りにされる側の面に対向するように配置されている。これにより、開放端から薬剤投入部２０にて薬剤が投入される包装シートＰ２の内面となるべき面に殺菌用の紫外線Ｓを照射することができる。
【００４６】
また、紫外線ランプ５３は、無折り状態のシートＰ２’を巻き回した紙管体Ｑ２を覆うケース１Ｂ内に紫外線出射面が紙管体Ｑ２のシート内側に対向するように配設されている。これにより、該ケース１Ｂ内で無折り状態のシートＰ２’の、包装シートＰ２の内面となるべき面に殺菌用の紫外線Ｓを照射することができる。
【００４７】
なお、図１から図４に示す紫外線ランプ５１〜５３から出射される殺菌用の紫外線Ｓの波長は、ここでは紫外線波長域（例えば１００ｎｍ程度〜３８０ｎｍ程度）のうちの殺菌作用が比較的強い２５３．７ｎｍ程度の波長である。
【００４８】
以上説明した薬剤包装装置Ａ，Ｂを備えた薬剤分包装置１００Ａ，１００Ｂでは、長手方向に沿って開放端が形成された長尺の包装シートＰ１，Ｐ２が搬送装置４０の送りローラ４１にてシート長手方向に沿って搬送され、薬剤投入部２０よりシート搬送方向Ｘ上流側に設けられた少なくとも一つの紫外線ランプ５１〜５３により、前記開放端から薬剤投入部２０にて薬剤が投入される包装シートＰ１，Ｐ２の内面に殺菌用の紫外線Ｓが照射される。そして、紫外線Ｓが照射された包装シートＰ１，Ｐ２は前記開放端から薬剤投入部２０のホッパー２１にて薬剤が投入され、ヒートシール装置３Ａ，３Ｂにてヒートシールされて個々に区画された包装体が形成される。
【００４９】
このように薬剤包装装置Ａ，Ｂ及び該薬剤包装装置Ａ，Ｂを備えた薬剤分包装置１００Ａ，１００Ｂによると、薬剤投入部２０よりシート搬送方向Ｘ上流側に設けられた紫外線ランプ５１〜５３により、前記開放端から薬剤投入部２０にて薬剤が投入される包装シートＰ１，Ｐ２の内面に殺菌用の紫外線Ｓを照射するので、薬剤投入部２０にて薬剤を投入するにあたり包装シートＰ１，Ｐ２を殺菌することができる。
【００５０】
また、図１及び図３に示す薬剤包装装置Ａでは、ランプ固定部材１４がホッパー２１の包装シートＰ１が搬送される領域に面してホッパー２１よりシート搬送方向Ｘ上流側近傍に配設されているので、紫外線ランプ５１を前記開放端が形成された包装シートＰ１の内側に固定することができ、且つ、紫外線ランプ５１からランプ固定部材１４よりシート搬送方向Ｘ上流側に殺菌用の紫外線Ｓを照射できる一方、包装シートＰ１に投入される薬剤に紫外線Ｓを浴びせないようにすることができる。さらに、ランプ固定部材１４はホッパー２１の包装シートＰ１が搬送される領域の幅より幅広であるので、この幅広のランプ固定部材１４によって包装シートＰ１の前記開放端を開くことができるとともに、ホッパー２１に包装シートＰ１を触れさせないようにすることができる。例えば、ホッパー２１に残ることがある薬剤を落下させるために該ホッパー２１を振動させる残薬処理を行うことがある。この場合、前記のような構成によれば、ホッパー２１に包装シートＰ１を触れさせないようにすることができるので、前記の残薬処理を行っても、搬送される包装シートＰ１が蛇行するといったシート流れに対する影響を十分抑制することができる。
【００５１】
なお、図１及び図３に示す装置では、紫外線ランプ５１が、長尺のシートＰ１’が長手方向に沿って二つ折りにされた長尺の包装シートＰ１に紫外線Ｓを照射し、図２及び図４に示す装置では、紫外線ランプ５２，５３が、無折り状態の長尺のシートＰ２’が搬送経路中で長手方向に沿って二つ折りにされて長尺の包装シートＰ２が形成され、該二つ折りにされた長尺の包装シートＰ２に紫外線Ｓを照射するが、無折り状態の一対の長尺シートが搬送経路中で長手方向に沿ってそれぞれの一方の面が互いに対向するように重ね合わされ、該重ね合わされたシートの短手方向一端部が長手方向に沿ってシールされて長尺の包装シートが形成され、該重ね合わされ、シールされた長尺の包装シートに殺菌用の紫外線を照射してもよい。例えば、紫外線ランプが、無折り状態の一対のシートが搬送経路中で重ね合わされる領域近傍に配設されることで、前記無折り状態のシートの、前記包装シートの内面となるべき面に殺菌用の紫外線を照射することができる。
【００５２】
また、本発明に係る薬剤包装装置及び薬剤分包装置において、前記紫外線ランプを後付け可能な構成にしておき、工場出荷後、必要に応じて前記紫外線ランプを設けるようにしてもよい。
【００５３】
【発明の効果】
以上説明したように本発明によると、長手方向に沿って開放端が形成された長尺の包装シートの該開放端から薬剤を投入する薬剤投入部と、前記薬剤投入部により薬剤が投入された前記包装シートをシールして個々に区画された包装体を形成するシール装置と、前記包装シートをシート長手方向に沿って搬送する搬送装置とを具備する薬剤包装装置及び薬剤分包装置であって、前記薬剤投入部にて薬剤を投入するにあたり前記包装シートを殺菌することができる薬剤包装装置及び薬剤分包装置を提供することができる。
【図面の簡単な説明】
【図１】本発明に係る薬剤分包装置の一例に搭載された本発明に係る薬剤包装装置の一例の概略平面図である。
【図２】本発明に係る薬剤分包装置の他の例に搭載された本発明に係る薬剤包装装置の他の例の概略平面図である。
【図３】図１に示す薬剤包装装置の要部概略斜視図である。
【図４】図２に示す薬剤包装装置の要部概略側面図である
【符号の説明】
１４…ランプ固定部材  ２０…薬剤投入部  ２１…薬剤投入ホッパー
３Ａ，３Ｂ…シール装置  ４０…搬送装置  ５１〜５３…紫外線殺菌用ランプ
Ｓ…紫外線  １００Ａ，１００Ｂ，１００Ｃ…薬剤分包装置
Ａ，Ｂ，Ｃ…薬剤包装装置  Ｐ１，Ｐ２…包装シート  Ｘ…シート搬送方向
【図１】
2004291976.tif 000003
【図２】
2004291976.tif 000004
【図３】
2004291976.tif 000005
【図４】
2004291976.tif 000006